(57)【要約】共有エアインタフェース資源の公称資源割当および資源交換許容量を各々有する複数の通信ネットワーク間における資源共有の方法を提供する。第１ネットワークの公称資源割当からの第１エアインタフェース資源の暫定資源割当を開始する（４０３）。引き続き、第１エアインタフェース資源に対する提案値の決定を各々含む複数の提案ラウンドを実行する（４０５）。そして、決定された提案値に応じて、第２ネットワークを選択し（４０７）、引き続き、資源割当メッセージを第２ネットワークに送信する（４０９）。資源割当メッセージは、第１ネットワークから第２ネットワークへの第１エアインタフェース資源のうちの少なくとも一部の暫定割当を示す。その結果、第２ネットワークの資源交換許容量が、それに応じて減少する（４１１）。各提案ラウンドには、第１複数ネットワークからの新提案値を受信する段階を含む。
2009500906.tif 000002
【特許請求の範囲】
【請求項１】
共有エアインタフェース資源の公称資源割当および資源交換許容量を各々有する複数の通信ネットワーク間における資源共有の方法であって、
第１ネットワークの公称資源割当からの第１エアインタフェース資源の暫定資源割当を開始する工程と、
第１エアインタフェース資源に対する提案値を決定する工程を各々含む、複数の提案ラウンドを実行する工程と、
決定された提案値に応じて第２ネットワークを選択する工程と、
第２ネットワークに資源割当メッセージを送信する工程と、資源割当メッセージは第１ネットワークから第２ネットワークへの第１エアインタフェース資源のうちの少なくとも一部の暫定割当を示すことと、
第２ネットワークからの資源交換提案値に応じて決定される値だけ、第２ネットワークの資源交換許容量を減少させる工程と、からなり、
各提案ラウンドは、
第１ネットワークが第１の複数ネットワークに提案要求を送信する工程と、
第１の複数ネットワークが第１ネットワークに提案メッセージを送信する工程と、各提案メッセージは第１エアインタフェース資源のうちの少なくとも一部に対する資源交換提案値を含むことと、
資源交換提案値に応じて第１エアインタフェース資源に対する提案値を決定する工程と、を含む、方法。
【請求項２】
１つ以上の提案ラウンドの提案要求は前回の提案ラウンドにおいて決定された提案値の表示を含む請求項１に記載の方法。
【請求項３】
第１ネットワークが第１の複数ネットワークに提案メッセージを送信する工程は、第１ネットワークが第１の複数ネットワークのうちの１つのネットワークの基地局に提案要求を送信する工程を含み、
提案値を決定する工程は、
基地局が基地局の複数の加入者局に加入者局提案要求を送信する工程と、
複数の加入者局のうちの１つ以上の加入者局が基地局に加入者局提案メッセージを送信する工程と、加入者局提案メッセージは加入者局資源交換提案値を含むことと、
基地局が加入者局資源交換提案値に応じて資源交換提案値を決定し、第１ネットワークに資源交換提案値を送信する工程と、を含む、請求項１または２に記載の方法。
【請求項４】
第２ネットワークに資源割当メッセージを送信する工程は、第２ネットワークの加入者局に資源割当メッセージを直接送信する工程を含む請求項３に記載の方法。
【請求項５】
１つ以上の加入者局が同１つ以上の加入者局の被接続機器に被接続機器提案要求を送信する工程と、
１つ以上の被接続機器が前記１つ以上の加入者局に被接続機器提案メッセージを送信する工程と、被接続機器提案メッセージは被接続機器資源交換提案値を含むことと、
前記１つ以上の加入者局が被接続機器資源交換提案値に応じて加入者局資源交換提案値を決定する工程と、を含む請求項３または４に記載の方法。
【請求項６】
第２ネットワークに資源割当メッセージを送信する工程は、第２ネットワークの被接続機器に資源割当メッセージを直接送信する工程を含む請求項５に記載の方法。
【請求項７】
第１エアインタフェース資源のうちの少なくとも一部に対する第２ネットワークからの資源交換提案値が受信された最大の資源交換提案値である、との判定に応じて、第２ネットワークを選択する工程を含む請求項１乃至６のいずれか一項に記載の方法。
【請求項８】
複数の選択ネットワークを選択し、合計の資源交換提案値を最大化するように同複数の選択ネットワークに第１エアインタフェース資源の異なる複数の部分を割り当てる工程を含む請求項１乃至７のいずれか一項に記載の方法。
【請求項９】
第１の複数ネットワークは共有の媒体アクセス制御（ＭＡＣ）フレームを用い、複数の通信ネットワークの各々はＭＡＣフレームの公称割当時間間隔を有する請求項１乃至８のいずれか一項に記載の方法。
【請求項１０】
ＭＡＣフレームは提案要求メッセージの送信用の第１管理サブフレームを含む請求項９に記載の方法。
【発明の詳細な説明】
【技術分野】
【０００１】
本発明は、複数の通信ネットワーク間における資源共有に関する。詳細には、ただし排他的にではないが、本発明は広帯域の無線メトロポリタン・エリア・ネットワーク（ＷＭＡＮ）間における暫定的なエアインタフェース資源の再割当に関する。
【背景技術】
【０００２】
過去数十年間で、無線通信システムは、至る所で見られるようになった。例えば、セルラー方式通信システム、広帯域の無線メトロポリタン・エリア・ネットワーク（ＷＭＡＮ）および無線ローカル・エリア・ネットワーク（ＷＬＡＮ）は、例えば、移動通信装置に効率的な通信サービスを提供する手段として広く普及している。しかしながら、この無線通信システムの普及の結果、エアインタフェース資源の必要は劇的に高まり、無線システムの更なる開発にとって、利用可能な資源を効率的かつ柔軟に利用する必要が不可欠となっている。
【０００３】
エアインタフェース資源の利用を効果的に高めるために提案されている１つの方法は、スペクトル共有である。スペクトル共有では、多数の独立したネットワークが同じ周波数スペクトルを共有し得る。周波数スペクトルは時分割で共有され得る。時分割では、個々のネットワークには送信用の別個の時間間隔が割り当てられる。
【０００４】
しかしながら、通常、個々のネットワークに対する資源要件は動的に変化する傾向があるため、異なるネットワークに資源を静的に割り当てると、利用可能な資源を最適に利用することにならない。しかしながら、共有のエアインタフェース資源を個々のネットワークへ動的に割り当てるための現在の手法は複雑になる傾向があり、その結果、個々のネットワークの最適な資源共有や最適な性能が達成されない。
【発明の開示】
【発明が解決しようとする課題】
【０００５】
したがって、資源共有用の改善されたシステムは有益であり、特に、柔軟性が高く、資源共有が改善され、動的性能が改善され、複雑さが低減され、または資源共有が改善されたシステムは、有益である。
【課題を解決するための手段】
【０００６】
したがって、本発明は、好適には、上述の不利な点の１つ以上を個々にまたは任意の組合せで緩和、軽減、または解消しようとするものである。
本発明の第１態様では、共有エアインタフェース資源の公称資源割当および資源交換許容量を各々有する複数の通信ネットワーク間における資源共有の方法を提供する。この方法は、第１ネットワークの公称資源割当からの第１エアインタフェース資源の暫定資源割当を開始する工程と、第１エアインタフェース資源に対する提案値を決定する工程を各々含む、複数の提案ラウンドを実行する工程と、決定された提案値に応じて第２ネットワークを選択する工程と、第２ネットワークに資源割当メッセージを送信する工程と、資源割当メッセージは第１ネットワークから第２ネットワークへの第１エアインタフェース資源のうちの少なくとも一部の暫定割当を示すことと、第２ネットワークからの資源交換提案値に応じて決定される値だけ、第２ネットワークの資源交換許容量を減少させる工程と、からなる。各提案ラウンドは、第１ネットワークが第１の複数ネットワークに提案要求を送信する工程と、第１の複数ネットワークが第１ネットワークに提案メッセージを送信する工程と、各提案メッセージは第１エアインタフェース資源のうちの少なくとも一部に対する資源交換提案値を含むことと、資源交換提案値に応じて第１エアインタフェース資源に対する提案値を決定する工程と、を含む。
【０００７】
本発明によって、異なるネットワーク間の資源共有が改善される。資源共有の効率的な管理が達成され得る。複雑、組み合わせまたはその両方である資源割当を必要とすることなく、１つのネットワークに対する公称資源割当の全部または一部が別のネットワーク（または複数の他のネットワーク）に暫定的に再割当され得る。本発明は、単純な提案機構によって、例えば、資源を最も必要とするネットワークへの暫定資源再割当を可能とする。通信ネットワーク間で必要な連携動作および連係を維持しつつ、効率的な動的資源共有が可能となる。特に、提案ラウンドの反復性によって、資源を最も必要とするネットワークに対する資源共有および分配の改善が可能である。
【０００８】
異なる通信ネットワークは、割り当てられたエアインタフェース割当の独立した資源割当を用いてもよく、独立に管理および制御されてもよい。個々のネットワークは、異なる独立したオペレータによって所有および運用が行われ得る。通信ネットワークは、例えば、グローバル・システム・フォー・モバイル・コミュニケーション（ＧＳＭ）またはユニバーサル・モバイル・テレコミュニケーション・システム（ＵＭＴＳ）等のセルラー方式通信システムであってよい。また、通信ネットワークは、例えば、直交周波数分割多元接続システムであってよい。例えば、通信ネットワークには、ＩＥＥＥ８０２．１１ネットワーク等の無線ローカル・エリア・ネットワーク（ＷＬＡＮ）またはＩＥＥＥ８０２．１６ネットワーク等の広帯域無線波接続システムが含まれる。
【０００９】
本発明では、幾つかの実施形態において、スペクトル利用に対する認知的無線ベースの解決策を提供することができ、詳細には、自由な／利用可能な共有用資源を識別／検出する手段を提供することによってスペクトル再利用の機会を可能とする。
【００１０】
本発明では、幾つかの実施形態において、分散化されたリアルタイムなスペクトル共有が可能となる、あるいは容易となる。特に、ピアツーピア構成を用いる基地局間のスペクトル共有のための機構が提供され得る。
【００１１】
本発明では、幾つかの実施形態において、協働機構に基づき、同じ周波数帯を用いる異種の無線接続システムの共存が可能となる、あるいは容易となる。
本発明は、例えば、時分割二重（ＴＤＤ）または周波数分割二重（ＦＤＤ）通信方式を用いる通信ネットワークに適用され得る。
【００１２】
提案要求メッセージ、提案メッセージまたはその両方は、第１ネットワークおよび第１の複数ネットワークの個々の基地局間で交換され得る。
本発明の任意の特徴によれば、１つ以上の提案ラウンドの提案要求は前回の提案ラウンドにおいて決定された提案値の表示を含む。
【００１３】
これによって、資源配分および再割当が改善され、また、特に、提案側ネットワークが適切な資源交換提案値を決定することが可能となる。
本発明の任意の特徴によれば、第１ネットワークが第１の複数ネットワークに提案メッセージを送信する工程は、第１ネットワークが第１の複数ネットワークのうちの１つのネットワークの基地局に提案要求を送信する工程を含む。提案値を決定する工程は、基地局が基地局の複数の加入者局に加入者局提案要求を送信する工程と、複数の加入者局のうちの１つ以上の加入者局が基地局に加入者局提案メッセージを送信する工程と、加入者局提案メッセージは加入者局資源交換提案値を含むことと、基地局が加入者局資源交換提案値に応じて資源交換提案値を決定し、第１ネットワークに資源交換提案値を送信する工程と、を含む。
【００１４】
これによって、資源配分および再割当が改善され、また、特に、暫定資源の割当を求めているネットワークにおける個々の加入者局の資源の必要性を反映する資源配分が可能となる。
【００１５】
本発明の任意の特徴によれば、第２ネットワークに資源割当メッセージを送信する工程は、第２ネットワークの加入者局に資源割当メッセージを直接送信する工程を含む。
これによって、多くの実施形態において、暫定資源再割当に関連する管理および信号送信が容易となる。
【００１６】
本発明の任意の特徴によれば、この方法は、更に、１つ以上の加入者局がこの１つ以上の加入者局の被接続機器に被接続機器提案要求を送信する工程と、１つ以上の被接続機器がこの１つ以上の加入者局に被接続機器提案メッセージを送信する工程と、被接続機器提案メッセージは被接続機器資源交換提案値を含むことと、この１つ以上の加入者局が被接続機器資源交換提案値に応じて加入者局資源交換提案値を決定する工程と、を含む。
【００１７】
これによって、資源配分および再割当が改善され、また、特に、暫定資源の割当を求めているネットワークにおける個々の加入者装置に接続された個々の機器の資源の必要性を反映する資源配分が可能となる。
【００１８】
本発明の任意の特徴によれば、第２ネットワークに資源割当メッセージを送信する工程には、第２ネットワークの被接続機器に資源割当メッセージを直接送信する工程を含む。
これによって、多くの実施形態において、暫定資源再割当に関連する管理および信号送信が容易となる。
【００１９】
本発明の任意の特徴によれば、この方法は、更に、第１エアインタフェース資源のうちの少なくとも一部に対する第２ネットワークからの資源交換提案値が受信された最大の資源交換提案値である、との判定に応じて、第２ネットワークを選択する工程を含む。
【００２０】
選択手段は、例えば、その特定の資源に対する最大の提案を提供するネットワークとして、所定の資源が暫定的に再割当されるネットワークを選択し得る。これによって、資源を最も必要とするネットワークに対し利用可能な資源を提供する、単純かつ効率的な方法が提供され、幾つかの実施形態では、この資源を共有することに関する第１ネットワークに対する利益の最大化が補助され得る。
【００２１】
本発明の任意の特徴によれば、この方法は、複数の選択ネットワークを選択し、合計の資源交換提案値を最大化するようにこの複数の選択ネットワークに第１エアインタフェース資源の異なる複数の部分を割り当てる工程を含む。
【００２２】
これによって、複数のネットワーク間で資源に対するそれらのネットワークそれぞれの必要性に基づき利用可能な資源が共有される、柔軟な資源割当が可能となり、幾つかの実施形態では、資源を共有することに関する第１ネットワークに対する利益が最大化され得る。
【００２３】
本発明の任意の特徴によれば、第１の複数ネットワークは共有の媒体アクセス制御（ＭＡＣ）フレームを用い、複数の通信ネットワークの各々はＭＡＣフレームの公称割当時間間隔を有する。
【００２４】
ＭＡＣフレームは、無線波インタフェースの共有ＭＡＣフレームであってよい。この特徴によって、相互運用が容易となり、効果的な資源共有のための実用的なシステムが提供され得る。特に、共有エアインタフェースを通じたピアツーピアベースの資源共有が容易となる。
【００２５】
本発明の任意の特徴によれば、ＭＡＣフレームは提案要求メッセージの送信用の第１管理サブフレームを含む。
これによって、相互運用が容易となり、効果的な資源共有のための実用的なシステムが提供され得る。特に、共有エアインタフェースを通じたピアツーピアベースの資源共有が容易となる。
【００２６】
本発明の任意の特徴によれば、第１管理サブフレームは、異なるネットワークに割り当てられる複数の異なるタイムスロットに分割される。
これによって、相互運用が容易となり、効果的な資源共有のための実用的なシステムが提供され得る。特に、共有エアインタフェースを通じたピアツーピアベースの資源共有が容易となる。
【００２７】
本発明の任意の特徴によれば、第１管理サブフレームは、第１の複数ネットワークからの提案メッセージ送信のための送信時間表示が含まれる。
これによって、相互運用が容易となり、効果的な資源共有のための実用的なシステムが提供され得る。特に、共有エアインタフェースを通じたピアツーピアベースの資源共有が容易となる。
【００２８】
本発明の任意の特徴によれば、ＭＡＣフレームは提案メッセージ送信用の第２管理サブフレームを含む。
これによって、相互運用が容易となり、効果的な資源共有のための実用的なシステムが提供され得る。特に、共有エアインタフェースを通じたピアツーピアベースの資源共有が容易となる。
【００２９】
本発明の任意の特徴によれば、第２管理サブフレームは、異なるネットワークに割り当てられる複数の異なるタイムスロットに分割される。
これによって、相互運用が容易となり、効果的な資源共有のための実用的なシステムが提供され得る。特に、共有エアインタフェースを通じたピアツーピアベースの資源共有が容易となる。
【００３０】
本発明の任意の特徴によれば、この方法には、更に、第２管理サブフレームにおいてコンテンション方式を動作する工程が含まれる。
これによって、相互運用が容易となり、効果的な資源共有のための実用的なシステムが提供され得る。特に、共有エアインタフェースを通じたピアツーピアベースの資源共有が容易となる。
【００３１】
本発明の任意の特徴によれば、暫定資源割当を開始する工程は、暫定資源割当の利用可能性の表示を他のネットワークに送信する工程を含み、この方法は、更に、他のネットワークの少なくとも一部が暫定資源割当への関心の表示を送信する工程を含む。
【００３２】
第１の複数ネットワークは、受信された関心の表示に応じて選択され得る。これによって、動作が容易となり、資源再割当プロセスに伴うネットワークの数が減少される。
本発明の任意の特徴によれば、提案ラウンドにおける第１ネットワークと第１の複数ネットワークとの間の通信は、無線波インタフェースを介する。
【００３３】
本発明では、無線波インタフェース通信リンクに基づき、資源共有の改善、容易化またはその両方を行い得る。複雑さが低減され、専用のまたは集中化された通信および管理手段の必要が低減または解消され得る。
【００３４】
本発明の任意の特徴によれば、共有エアインタフェース資源は周波数帯であり、第１エアインタフェース資源には、その周波数帯における全ての搬送周波数が含まれる。
これによって、効率的な性能を提供し、通常、第１ネットワークまたは第２ネットワークに対する資源共有の影響を低減し得る、簡単な資源の共有が提供され得る。周波数帯は連続的な周波数帯であってもよく、断片的な周波数帯であってもよい。
【００３５】
本発明の任意の特徴によれば、第１エアインタフェース資源のうちの少なくとも一部は時間間隔における周波数帯に対応する。
これによって、効率的な資源共有が容易となる。
【００３６】
本発明の異なる態様では、共有エアインタフェース資源の公称資源割当および資源交換許容量を各々有する複数の通信ネットワーク間における資源共有のための通信システムを提供する。この通信システムは、第１ネットワークの公称資源割当からの第１エアインタフェース資源の暫定資源割当を開始するための手段と、第１エアインタフェース資源に対する提案値を決定する工程を各々含む複数の提案ラウンドを実行するための手段と、決定された提案値に応じて第２ネットワークを選択するための手段と、第２ネットワークに資源割当メッセージを送信するための手段と、資源割当メッセージは第１ネットワークから第２ネットワークへの第１エアインタフェース資源のうちの少なくとも一部の暫定割当を示すことと、第２ネットワークからの資源交換提案値に応じて決定される値だけ、第２ネットワークの資源交換許容量を減少させるための手段と、を備える。複数の提案ラウンドを実行するための手段は、各提案ラウンドにおいて、第１ネットワークから第１の複数ネットワークに提案要求を送信し、第１の複数ネットワークから第１ネットワークに提案メッセージを送信し、更に、資源交換提案値に応じて第１エアインタフェース資源に対する提案値を決定するように構成される。各提案メッセージは第１エアインタフェース資源のうちの少なくとも一部に対する資源交換提案値を含む。
【発明を実施するための最良の形態】
【００３７】
以下の説明では、ＩＥＥＥ８０２．１６等、広帯域の無線メトロポリタン・エリア・ネットワーク（ＷＭＡＮ）や、８０２．１１等の無線ローカル・エリア・ネットワーク（ＷＬＡＮ）の通信ネットワークに適用可能な本発明の実施形態に焦点を当てるが、本発明は、この用途に限定されず、例えば、ＧＳＭ（グローバル・システム・フォー・モバイル・コミュニケーション）またはＵＭＴＳ（ユニバーサル・モバイル・テレコミュニケーション・システム）のセルラー方式通信システム等、他の多くの通信ネットワークに適用され得ることが認識される。
【００３８】
図１は、３つの異なる個々の広帯域無線メトロポリタン・エリア・ネットワーク（ＷＭＡＮ）１０３，１０７，１１１が含まれる組み合わせ通信システム構成の例を示す。
各ネットワーク１０３，１０７，１１１には、ＷＭＡＮシステムの技術仕様に基づく通信サービスをサポートするための全ての必要な機能が含まれる。本具体例では、ネットワーク１０３，１０７，１１１には、ＩＥＥＥ８０２．１６エアインタフェースを介した通信をサポートするための機能が含まれる。したがって、特に、各ネットワーク１０３，１０７，１１１には、個々の通信システムのエアインタフェースを介して信号を送受信し得る１つ以上の基地局１０１，１０５，１０９が含まれる（理解しやすいように、図１には基地局１０１，１０５，１０９がネットワーク１０３，１０７，１１１に接続されているように示すが、基地局１０１，１０５，１０９はネットワーク１０３，１０７，１１１の一部と考えられるものであることが認められる）。
【００３９】
図１の例において、３つのネットワーク１０３，１０７，１１１はスペクトル共有を用いており、３つのネットワーク１０３，１０７，１１１全てのエアインタフェース通信によって同じ周波数スペクトルが用いられる。本具体例では、３つのネットワーク１０３，１０７，１１１が異なる時間に周波数スペクトル全体にアクセスできるように、３つのネットワークは時分割を用いる。具体的には、３つのネットワークの各々は、周波数スペクトル全体において、ＯＦＤＭおよびＯＦＤＭＡベースの通信を用い得る。
【００４０】
具体的には、３つのネットワークは、エアインタフェース上で同じＭＡＣ（媒体アクセス制御）フレーム構造を用いるように構成される。さらに、ネットワーク１０３，１０７，１１１は、エアインタフェースを介した送信用のＭＡＣフレームがフレーム同期化されるように、同期化される。
【００４１】
本例において、各ネットワークには、各フレームにおける指定時間間隔に対応する公称資源割当が割り当てられる。具体的には、ダウンリンク（順方向リンク）およびアップリンク（逆方向リンク）のＭＡＣフレームにはサイズの等しい３つの時間間隔が含まれ、各ネットワーク１０３，１０７，１１１には１つの時間間隔が割り当てられる。各時間間隔は異なるシステムによって用いられ得るが、それらの時間間隔は交互配置される。
【００４２】
したがって、割り当てられた時間間隔内において、適正なネットワーク１０３，１０７，１１１はエアインタフェースを介して自由に通信を行うが、他のネットワーク１０３，１０７，１１１に割り当てられた時間間隔中、これは許可されない。
【００４３】
図２は、スペクトル共有を用いる複数のネットワーク１０３，１０７，１１１用のフレーム構造の例を示す。本例では、各時間間隔において、資源が公称的に割り当てられるネットワーク１０３，１０７，１１１をマスタネットワークとして示し、他のネットワークをスレーブネットワークとして示す。
【００４４】
個々のネットワーク１０３，１０７，１１１は、ネットワークの動作を独立に管理および制御する。具体的には、各ネットワークには、いつでも所定のエアインタフェース資源が割り当てられ、このエアインタフェース資源割当の管理は、他のネットワーク１０３，１０７，１１１の動作を何ら考慮することなく実施される。したがって、具体的には、個々のネットワーク１０３，１０７，１１１における個々の通話および基地局への資源の割当は、割り当てられた資源を考慮して行われるが、他の通信システムがそれらの通信システムに割り当てられた資源をどのように管理しているかについては考慮されない。
【００４５】
スペクトル共有によって資源の効率的な共有は可能となるが、静的割当では個々のネットワーク１０３，１０７，１１１の動的かつ異なる資源要件が考慮されないため、非効率的である。
【００４６】
図１のシステムにおいて、共通周波数帯の資源共有は、１つのネットワークの公称資源割当から別のネットワークへ資源の暫定資源割当を行うことによって改善され得る。
このシステムにおいて、各ネットワーク１０３，１０７，１１１には、別のネットワークから資源を借用する際に用いられ得る資源交換許容量が割り当てられる。このシステムにおいて、資源は、１つのネットワークから別のネットワークに暫定的に割り当てられ得る。これに応じて、資源を受け取るネットワークの資源交換許容量は減少するが、資源を提供するネットワークの資源交換許容量は増大する。
【００４７】
図１の通信システムには、具体的には、ネットワーク１０３，１０７，１１１の資源交換許容量を記憶する資源交換許容量プロセッサ１１３が含まれる。記憶された資源交換許容量は、資源が暫定的に再割当を行われたときに更新されるため、資源交換許容量は、個々が他の通信ネットワークとの間で借用した資源の表示を提供する。
【００４８】
図３は、本発明の幾つかの実施形態に基づく資源共有のための装置２０１の例を示す。この装置は、任意の適切な場所に実装されてもよく、異なる場所の間および異なるネットワークの間に分散されてもよく、あるいはその両方であってもよい。本具体例では、装置２０１は、第１基地局１０１に実装される。装置２０１には、その基地局によってサポートされる加入者局や他のネットワーク１０７，１１１の基地局と通信を行うように構成された、送受信機２０３が含まれる。
【００４９】
装置２０１には、更に、送受信機２０３に接続された共有開始プロセッサ２０５が含まれる。共有開始プロセッサ２０５は、第１ネットワークの公称資源割当からの第１エアインタフェース資源の暫定資源割当を開始するように構成されている。
【００５０】
例えば、共有開始プロセッサ２０５は、使用されておらず、かつ、他のネットワークが使用可能である予備資源を第１ネットワーク１０３が有することを、検出し得る。これに応じて、共有開始プロセッサ２０５は、送受信機２０３によってエアインタフェースを介して他のネットワークに送信される資源利用可能性メッセージおよび提案要求メッセージを生成し得る。
【００５１】
これに応じて、送受信機２０３は、他のネットワーク２０５，２０９から提案メッセージを受信し得る。各提案メッセージには、共有のために利用可能な資源のうちの少なくとも一部に対する資源交換提案値が含まれる。資源交換提案値は、提案メッセージを送信するネットワークが指定の資源の暫定割当と引き替えに進んで受け入れる資源交換許容量の減少の量を表す。
【００５２】
後述のように、装置２０１は終了判定基準（例えば、一定の持続時間が経過したこと）が満たされるまで、提案要求メッセージの送信および提案メッセージの受信からなる提案プロセスを繰り返すように構成される。
【００５３】
装置２０１には、更に、送受信機２０３に接続され、かつ、複数の提案ラウンドの後、受信された資源交換提案値が供給される、選択プロセッサ２０７が含まれる。これに応じて、選択プロセッサ２０７は、所定の資源が暫定的に再割当される特定のネットワークの選択に進む。多くの実施形態において、資源が複数の他のネットワークに割り当てられ得ることが認められる。
【００５４】
例えば、所定の資源について、選択プロセッサ２０７は、単に、最大の資源交換提案値を有するネットワーク、すなわち、最大の自身の資源交換許容量の減少を進んで受け入れるネットワークを選択し得る。この減少は、資源の暫定的借用に対するペナルティ値として理解できるので、選択プロセッサ２０７は利用可能な資源を最も必要とするネットワークを自動的に選択可能であるため、あまり複雑でないシステムによって効率的な資源共有を達成され得る。
【００５５】
資源交換提案値は、所定単位の資源に対する提案値であってよい。例えば、受信された資源交換提案値は、例えば、ＭＡＣフレーム持続時間の１００分の１である各時間間隔における単一搬送波の割当のために特定のネットワークが進んで受け入れる資源交換許容量の減少の量を指定し得る。そのような場合、選択プロセッサ２０７によって比較される合計提案値は、特定の提案値に搬送波の数および割り当てられ得る資源の時間間隔の数を乗ずることによって決定され得る。
【００５６】
選択プロセッサ２０７は、許容量メッセージ生成器２０９に接続される。許容量メッセージ生成器２０９は、資源交換許容量プロセッサ１１３に許容量メッセージを送信して、選択ネットワークに対する資源交換許容量を減少させるように構成されている。例えば、通信は、送受信機によってエアインタフェースを介して行われてもよく、あるいは、適切なネットワークインタフェース（図示せず）を介して第１ネットワークを通じて行われてもよい。
【００５７】
具体的には、許容量メッセージ生成器２０９は、資源交換提案値に応じて資源交換許容量減少を計算することが可能であり、また、その値を資源交換許容量プロセッサ１１３に送信することが可能である。したがって、許容量メッセージ生成器２０９は、第２ネットワークからの資源交換提案値に応じて決定された値だけ、選択ネットワークの資源交換許容量を減少させる。
【００５８】
資源交換許容量プロセッサ１１３は、暫定割当を受けるネットワークの資源交換許容量がゼロ未満になることを識別した場合、その事実を装置２０１に通知する。これに応じて、装置２０１は、そのネットワークへの資源の再割当を中止する。
【００５９】
選択プロセッサ２０７は、更に、割当メッセージ生成器２１１に接続される。割当メッセージ生成器２１１は、更に、ネットワークインタフェース２０３に接続され、また、選択ネットワークに資源割当メッセージを送信するように構成される。資源割当メッセージには、利用可能な資源のうちの少なくとも一部の暫定割当の表示が含まれる。資源割当メッセージの受信後、選択ネットワークは、借用した資源の使用に進み得る。具体的には、第１ネットワーク１０３に公称的に割り当てられた再割当時間間隔におけるエアインタフェース送信が、選択ネットワークにおいてスケジュール化され得る。
【００６０】
図４は、本発明の幾つかの実施形態に基づく資源共有のための方法の例を示す。本方法について、図３の装置を参照して述べる。
本方法は、ステップ４０１において開始し、ここで、資源交換許容量プロセッサ１１３は、各ネットワーク１０３，１０７，１１１に対する資源交換許容量で初期化される。以下の例示の説明において、資源交換許容量はクレジットトークンと称する任意単位で測定される。資源交換許容量プロセッサ１１３は、例えば、各ネットワーク１０３，１０７，１１１に所定の量のクレジットトークンを割り当てて初期化し得る。
【００６１】
ステップ４０１には、ステップ４０３が続き、ここでは、ネットワークの公称資源割当からのエアインタフェース資源の暫定資源割当が開始される。
この開始は、ネットワークが資源を暫定的に貸与しようとすることによって行われてもよく、ネットワークが資源を借用しようとすることによって行われてもよい。
【００６２】
例えば、上述のように、共有開始プロセッサ２０５は、一部の資源が第１ネットワーク１０３において使用されていないこと、または、一部の資源が低優先順位のサービスによってのみ使用されていること、および、クレジットトークンと引き替えにこの資源を暫定的に再割当するのが望ましいことを検出することが可能である。したがって、共有開始プロセッサ２０５は、資源が共有のために利用可能であることを示すメッセージを送出することが可能である。
【００６３】
具体的な例として、第１ネットワーク１０３は、開始時間ＴＳｔａｒｔから終了時間Ｔｅｎｄ（Ｔｅｎｄ−ＴＳｔａｒｔ）まで周波数帯が利用可能であることを示す、資源利用可能性メッセージを送信することが可能である。したがって、この時間間隔によって、第１ネットワーク１０３に割り当てられた時間フレーム間隔が、その期間のうちの一部について、他のネットワークに利用可能になる。更に、第１ネットワーク１０３は、第１ネットワーク１０３が進んで資源の暫定的な再割当を行う時間間隔当りに必要な最小数のクレジットトークンの表示を含んでもよい。
【００６４】
ステップ４０３には、ステップ４０５が続き、ここでは、提案ラウンドが実行される。各提案ラウンドにおいて、第１基地局１０１は、他のネットワーク１０７，１１１の基地局１０５，１０９に提案要求メッセージを送信する。
【００６５】
そして、他のネットワーク１０７，１１１の基地局１０５，１０９は、第１エアインタフェース資源のうちの少なくとも一部に対する資源交換提案値を決定し、それらの資源交換提案値を提案メッセージにより第１基地局１０１に返送する。提案メッセージは、具体的には、時間間隔当りのクレジットトークンの数、搬送波当りのクレジットトークンの数、またはその両方など、資源単位当りに提示されるクレジットトークンの数を示し得る。
【００６６】
具体的には、他のネットワーク１０７，１１１は、提案ベクトル（ＢＩＤｋ。ここで、ｋはネットワークのインデックスである）の形態の提案を含む提案メッセージを送信することが可能である。具体的には、提案ベクトルは次の情報のうちの１つ以上を含むことができる。
・時間単位当りに提示されるクレジットトークンの量（ＣＴｋ）、
・提案ＣＴｋの適用される提案時間の割合ｘｋ、
・提案の適用される時間間隔［ＴＳｔａｒｔ  ｋ，ＴＥｎｄ  ｋ］（ここで、［ＴＳｔａｒｔ  ｋ，ＴＥｎｄ  ｋ］⊂［ＴＳｔａｒｔ，ＴＥｎｄ］）。
【００６７】
したがって、提案ベクトルは、具体的には、ＢＩＤｋ＝｛ＣＴｋ，ｘｋ，ＴＳｔａｒｔ  ｋ，ＴＥｎｄ  ｋ｝によって表すことができる。
そして、第１基地局１０１は、受信された提案メッセージからの他の基地局１０５，１０９に対する提案値の決定に進む。具体的には、所定のネットワーク用の提案値は、資源単位当りに提示されるクレジットトークンの数として決定され得る。
【００６８】
そして、第１基地局１０１は、決定された提案値を含む第２の提案要求メッセージの送信に進む。この提案要求メッセージを受信すると、他の基地局１０５，１０９は、前回の提案値を増大するか否かを決定し得る。提案ラウンドは、例えば、資源単位当りの所定の提案値に達するまで、あるいは、所定の時間間隔が経過するまで、繰り返されてよい。
【００６９】
ステップ４０５には、ステップ４０７が続き、ここで、エアインタフェース資源が暫定的に割り当てられるネットワークが選択され得る。具体的には、要求された貸与期間および要求された搬送波の量におけるクレジットトークンの最大数に対応する提案値を提供したネットワークが選択され、要求された資源が暫定的に割り当てられ得る。
【００７０】
ステップ４０７には、ステップ４０９が続き、ここで、付与されたエアインタフェース資源を識別する資源割当メッセージが個々のネットワーク１０７，１１１に送信される。
ステップ４０９には、ステップ４１１が続き、ここで、資源交換許容量メッセージは、資源交換許容量プロセッサ１１３に送信される。資源交換許容量メッセージには、資源が割り当てられる各ネットワークがその資源に対して提示したクレジットトークンの識別情報が含まれる。
【００７１】
これに応じて、資源交換許容量プロセッサ１１３は、異なるネットワーク１０３，１０７，１１１の資源交換許容量用の記憶値を更新する。具体的には、エアインタフェース資源が割り当てられたネットワーク１０３，１０７，１１１は、対応するクレジットトークンの数だけ減少され得る。
【００７２】
更に、資源交換許容量プロセッサ１１３は、第１ネットワーク１０３の資源交換許容量を、例えば、割り当て資源と引き替えに他のネットワークによって提示されたクレジットトークンの合計数だけ増やし得る。
【００７３】
したがって、このシステムは、ネットワーク１０３，１０７，１１１に、それらの資源を共有することと引き替えに追加の資源交換許容量を付与する手段を提供することも可能である。これによって、ネットワークが資源を共有することが奨励され得る。
【００７４】
幾つかの実施形態では、各基地局は１つ以上の加入者局をサポートし、それらの加入者局は、ＢＳと加入者局との間のエアインタフェース資源を必要とするアプリケーションを実行する被接続機器用の１つ以上の接続をサポートする。
【００７５】
具体的には、このシステムは複数のＩＥＥＥ８０２．１６ネットワークを含むことが可能である。そのような入れ子のシステムでは、基地局は、各システムについて複数の時間間隔へと分割された共有のＭＡＣ構造を用いて、ピアツーピアにより直接的に通信を行うことが可能である。以下、そのような代表的なシステムについて詳細に述べる。
【００７６】
本例において、複数の反復に基づく動的な基地局間スペクトル共有アルゴリズムについて述べる。このシステムでは、基地局間のクレジットトークントランザクション（販売、購入、および付与）をサポートするために、エアインタフェースを介した分散信号送信機構が用いられる。提案ラウンド中、入れ子レベルのトランザクション機構は、各反復に用いられる提案値ＢＳ＿ＣＴｋを導出するために用いられる。具体的には、この説明では、図５に示すＭＡＣフレームを用いるエアインタフェース分散信号送信機構の実装の詳細が提供される。
【００７７】
以下では次の表記法を用いる：
・ＢＳＮは、マスタネットワークＮＷＮに属する基地局ＢＳを示す。ここで、マスタネットワークは、追加の資源を提供するネットワークである、
・ＢＳｋは、スレーブネットワークＮＷｋに属する基地局を示す。ここで。マスタネットワークは、追加の資源を提供するネットワークである、
・ＳＳｊ，ｋは、基地局ＢＳｋに所属する加入者局“ｊ”を示す、
・ＣＣｉ，ｊ，ｋは、ＳＳｊ，ｋに接続された接続“ｉ”（または被接続機器“ｉ”）を示す。
【００７８】
この例では：
・各ＣＣｉ，ｊ，ｋは、第ｎ回目の反復において、提案値ＣＣ＿ＣＴ（ｎ）ｉ，ｊ，ｋを動的に生成し得る。この提案値は、提案ラウンドの第ｎ回目の反復中、ＣＣが“余分の”帯域幅を落札する（ｗｉｎ）ために費やそうとするドメイン単位当りのクレジットトークン量に相当する（ここで、ドメイン単位は、時間、周波数、またはその両方のドメイン単位であってよい）、
・各ＳＳｊ，ｋは、第ｎ回目の反復において、提案値ＳＳ＿ＣＴ（ｎ）ｊ，ｋを動的に生成し得る。この提案値は、提案ラウンドの第ｎ回目の反復中、そのＳＳｊ，ｋに所属する｛ＣＣｉ，ｊ，ｋ｝に対応するドメイン単位当りのクレジットトークン量に相当する、
・各ＢＳｋは、第ｎ回目の反復において、提案値ＢＳ＿ＣＴ（ｎ）ｋを動的に生成し得る。この提案値は、入札段階の第ｎ回目の反復中、そのＢＳｋに所属する｛ＳＳｊ，ｋ｝に対応するドメイン単位当りのクレジットトークン量に相当する。
【００７９】
この例において、図６に示すネットワークノードの階層構成は、このように実装される。このシステムにおいて、マスタＮＷＮの１つのＢＳＮと、異なるスレーブＮＷｋの幾つかのＢＳｋとの間の動的な競売／入札サイクルは、提案ラウンドを繰り返し実行することによって実装される。図７，８は、そのような提案ラウンドに基づく暫定資源割当用の信号送信を示す。簡単にかつ簡潔にするために、このプロセスでは、１つのＢＳＮ（第１基地局１０１）と、所定のスレーブＮＷｋ（第２ネットワーク１０７）の１つのＢＳｋ（第２基地局１０５）、対応するＳＳｊ，ｋおよびＣＣｉ，ｊ，ｋとの場合を示す。本サイクルは様々な段階からなり、各段階は幾つかのシーケンスからなる。
【００８０】
以下では、この詳細な例において用いられるスーパーＭＡＣフレームについて述べる。
具体的には、動的な資源割当の異なる段階の実施には、図５に示すＭＡＣフレーム構造に導入された管理機構が用いられる。このシステムでは、図９に示すスーパーＭＡＣフレーム構造が用いられる。このスーパーＭＡＣフレームは、次のように構成される（簡単にするために、図示では３つのＢＳしか考慮しない。この３つのＢＳは、マスタＮＷ（１０３）における１つのＢＳ（ＢＳＮ−１０１）、スレーブＮＷｋ（１０７）における１つのＢＳ（ＢＳｋ−１０５）、およびスレーブＮＷｊ（１０９）における１つのＢＳ（ＢＳｊ−１０９）である）：
・各ＭＡＣフレームは、スーパーＭＡＣダウンリンク（ＤＬ）およびアップリンク（ＵＬ）サブフレームに分割される、
・専用のスーパーＭＡＣ  ＤＬ管理サブフレームは、ＤＬサブフレームの管理に用いられる（同様に、専用のスーパーＭＡＣ  ＵＬ管理サブフレームは、ＵＬサブフレームの管理に用いられる）。スーパーＭＡＣ  ＤＬ管理サブフレームは、具体的には、マスタネットワークからスレーブネットワークへのメッセージの送信に用いられ得る。特に、情報または表示を提供し、それに応じてスレーブネットワークが提案値の決定および送出に進むという点において提案要求メッセージと考えられるメッセージの送信に用いられ得る。同様に、ＭＡＣ  ＵＬ管理サブフレームは、具体的には、スレーブネットワークからマスタネットワークへのメッセージの送信に用いられ得る。特に、マスタネットワークに提案情報を提供するという点において提案メッセージと考えられるメッセージの送信に用いられ得る、
・スーパーＭＡＣ  ＤＬおよびＵＬ管理サブフレームのコンテンツは、そのサイクルの関連する様々な段階中、マスタＢＳＮと任意のスレーブＢＳｋとの間の通信をサポートするように構成される、
・各マスタまたはスレーブサブフレームは、１つのＢＳの動作専用の幾つかのＭＡＣフレームから構成される。
【００８１】
スーパーＭＡＣ管理サブフレームの位置および持続時間は：
・例えば、開始から各フレームについて設定され、全てのＮＷ間で一致することが可能である（静的手法）、
・例えば、必要に応じて時間の関数としてＮＷ間で定期的に適合されることが可能である（動的手法）。このことは、例えば、関係するＮＷ間のＩＰ通信を介して（サーバを介して）、ローカルＢＳデータベース間の有線情報交換によって、達成され得る。
【００８２】
図１０に示すスーパーＭＡＣ  ＤＬ管理サブフレームは、次のように、２つのサブフレームに分割される：
・ブロードキャストおよびマルチキャストサブフレーム、
・また、各々は複数のサブフレームに分割される。各サブフレームは、１つのＢＳ専用である、
・ブロードキャストサブフレームは後述の“広告／認識”段階のために予約される、
・マルチキャストサブフレームは次のために予約される：
○“クレジットトークンベースの提案ラウンドの第１反復（ｎ＝１）”
○“動的なクレジットトークンベースの提案ラウンドの第ｎ回目の反復（ｎ＞１）”
○“最終の価格決定および支払”段階（後述）。
【００８３】
図１１に示すスーパーＭＡＣ  ＵＬ管理サブフレームは、次のように、２つのサブフレームに分割される：
・コンテンションおよびデータ伝送サブフレーム、
・各々は複数のサブフレームに分割される。各サブフレームは、１つのＢＳ専用である、
・コンテンションサブフレームは“関心表明段階”のために予約される、
・データ伝送サブフレームは次のために予約される：
○“クレジットトークンベースの提案ラウンドの第１反復（ｎ＝１）”
○“動的なクレジットトークンベースの提案ラウンドの第ｎ回目の反復（ｎ＞１）”
○“最終の価格決定および支払”段階。
【００８４】
ブロードキャスト、マルチキャスト、コンテンション、およびデータ伝送サブフレームの（位置および持続時間に関する）構成は：
・例えば、開始から各フレームについて固定して設定され、全てのＮＷ間で一致することが可能である（静的手法）、
・例えば、必要に応じて時間の関数としてＮＷ間で定期的に適合されることが可能である（動的手法）。このことは、例えば、関係するＮＷ間のＩＰ通信を介して（サーバを介して）、ローカルＢＳデータベース間の有線情報交換によって、達成され得る。
【００８５】
以下において、図７および８の信号送信例を参照して、上述のスーパーＭＡＣフレームを用いた暫定資源割当プロセスの特定の例について述べる。
図４の異なるステップに対応する異なる段階を参照して、このプロセスについて述べる。各段階について、適用される通信およびＭＡＣフレーム機構について述べる。
【００８６】
段階１：広告／認識段階（図４のステップ４０３に対応）
この段階は、２つのシーケンス（１）および（２）に分割される（図７参照）：
○シーケンス（１）において、マスタＢＳＮ  ｕｓは、エアインタフェース・ブロードキャスト・チャネルを用いて、以下の情報、すなわち、ＴＳｔａｒｔ，ＴＥｎｄ，ＴＳｔａｒｔ  Ｒｅｎｔｉｎｇ，ＴＥｎｄ  Ｒｅｎｔｉｎｇ，ＲＰＡ（最低競売価格）の値を、周辺のスレーブＢＳｋにブロードキャストする。これらの動作を可能にするＭＡＣフレーム機構は、図１２に示すスーパーＭＡＣ  ＤＬ管理サブフレームにより実装され得る、
○シーケンス（２）において、この追加の帯域幅に自身の目的のために関心を有するＢＳｋは、この情報を自身のＳＳｊ，ｋにブロードキャストし、それらのＳＳｊ，ｋが入札段階に加わることを望むか否かについて調べる。ＭＡＣレベルにおいて、この情報は、ＤＬの各スレーブＢＳ（ＢＳｋ，ＢＳｊ）サブフレームにおいて用いられる既存のブロードキャストメッセージ（例えば、ＩＥＥＥ８０２．１６におけるＤＬ＿ＭＡＰ，ＤＣＤ）において追加され得る。
【００８７】
段階２：関心表明段階（図４のステップ４０３の一部）
この段階は、次のように、４つのシーケンスに分割される（図７参照）：
○シーケンス（３）において、各ＳＳｊ，ｋは、自身のＣＣｉ，ｊ，ｋに対し、入札に関心を有するか否かを決定するように問い合わせる、
○シーケンス（４）において、各ＳＳｊ，ｋは、ＣＣｉ，ｊ，ｋから関心（または入札に参加する関心のないこと）の表明を受信する、
○シーケンス（５）において、各ＳＳｊ，ｋは、シーケンス（４）から受信されたフィードバックに基づき、入札に参加する（または、しない）というＳＳｊ，ｋの意向をＢＳｋに通知する。ＭＡＣレベルでは、この情報は、各スレーブＢＳ（ＢＳｋ，ＢＳｊ）サブフレームによって用いられる既存のメッセージ（ＩＥＥＥ８０２．１６におけるＢＷ要求コンテンションスロット＋ポーリングメッセージ）を適合させることによってサポートされ得る、
○最後に、シーケンス（６）において、各ＢＳｋは、各ＳＳｊ，ｋからのフィードバックを統合し、このフィードバックに基づき、入札に参加する（または、しない）というその意向をマスタＢＳＮに通知する。ＢＳｋは、関心を有する場合、自身のｉｄｋをマスタＢＳＮに伝達する。
【００８８】
関心を有する者（周辺のスレーブＢＳ）の数は不明であるが、通常、あまり多くならないため、シーケンス（６）を可能にするＭＡＣフレーム機構は、コンテンションサブフレーム（コンテンションミニスロット）を用いることによって、スーパーＭＡＣ  ＵＬ管理サブフレームにおいて実現され得る。使用可能なコンテンション機構（図１３参照）は、スロット・アロハ・プロトコル（２値指数バックオフのような衝突解決アルゴリズムと共に用いられる）であるが、次のように適合される。すなわち、スレーブＢＳｋは、自身のｉｄｋ情報をなんとか送信し終えると（すなわち、ＢＳＮからの肯定応答の受信に成功すると）、沈黙したままとなり、他の関心のあるＢＳｋにそれらのｉｄｋを送信させる。
【００８９】
段階３：クレジットトークンベースの提案ラウンドの第１反復（ｎ＝１）（図４のステップ４０５に対応）
この段階は、次のように、７つのシーケンスに分割される：
○シーケンス（７）において、マスタＢＳＮは、入札に参加する関心を表明したスレーブＢＳｋに次の情報を送信する：
・ＴＳｔａｒｔ  Ｂｉｄｄｉｎｇ：入札段階が開始する時間、
・ＴＥｎｄ  Ｂｉｄｄｉｎｇ：入札段階が終了する時間（ＴＥｎｄ  Ｂｉｄｄｉｎｇ＜ＴＳｔａｒｔ）、
・スーパーＭＡＣ  ＤＬ管理フィールドのマルチキャストサブフレームの管理用ＤＣＤ，ＤＬ−ＭＡＰ。ＤＣＤ（ダウンリンクチャネル記述子）は、ＤＬにおけるマスタＢＳＮによって用いられる物理層パラメータに関する情報を提供する。これによって、ＢＳｋは、マスタＢＳＮによって提供されるメッセージをどのように聴取する必要があるかを知ることが可能になる。ＤＬ＿ＭＡＰ（ダウンリンクミニスロット割当プロトコル）は、スーパーＭＡＣ  ＤＬフィールドのマルチキャストサブフレームの構成、すなわち、例えば、最初に、“ＵＣＤ／ＵＬ−ＭＡＰ”、そして、“ＴＳｔａｒｔ  Ｂｉｄｄｉｎｇ”、最後に“ＴＥｎｄ  Ｂｉｄｄｉｎｇ”のメッセージシーケンスに関する情報を提供する、
・スーパーＭＡＣ  ＵＬ管理フィールドの“データ伝送”サブフレームの管理用ＵＣＤ，ＵＬ−ＭＡＰ。ＵＣＤ（アップリンクチャネル記述子）は、ＵＬにおける各スレーブＢＳｋによって用いられる物理層パラメータに関する情報を提供する。これによって、ＢＳＮは、スレーブＢＳｋによって提供されるメッセージをどのように聴取する必要があるかを知ることが可能になる。ＵＬ＿ＭＡＰ（アップリンクミニスロット割当プロトコル）は、スーパーＭＡＣ  ＵＬフィールドの“データ伝送”サブフレームの構成、すなわち、スロットのシーケンスに関する情報を提供する、すなわち、各スロットのＢＳｋ＝＞への割当は、各ＢＳｋが、いつ送信し得るか、どの情報と共に送信し得るかを提供する。
【００９０】
この最初の反復（ｎ＝１）の場合、初期｛ｉｄｋ｝は、｛ｉｄ（１）ｋ｝で示される。
これらの動作を可能にするＭＡＣフレーム機構は、図１４に示すスーパーＭＡＣ  ＤＬ管理フィールドのマルチキャストサブフレームにより実装され得る：
○シーケンス（８）において、各ＢＳｋは、その第１（ｎ＝１）提案ＳＳ＿ＣＴ（１）ｊ，ｋを各ＳＳｊ，ｋに要求する、
○シーケンス（９）において、各ＳＳｊ，ｋは、その第１（ｎ＝１）提案ＣＣ＿ＣＴ（１）ｉ，ｊ，ｋをＣＣｉ，ｊ，ｋに要求する、
○シーケンス（１０）において、各ＣＣｉ，ｊ，ｋは、自身のＳＳｊ，ｋに自身のＣＣ＿ＣＴ（１）ｉ，ｊ，ｋを送信する、
○シーケンス（１１）において、各ＳＳｊ，ｋは｛ＣＣ＿ＣＴ（１）ｉ，ｊ，ｋ｝を収集し、ＳＳ＿ＣＴ（１）ｊ，ｋ＝（ｉに関するＣＣ＿ＣＴ（１）ｉ，ｊ，ｋの総和）を計算し、自身のＢＳｋにＳＳ＿ＣＴ（１）ｊ，ｋを送信する、
○シーケンス（１２）において、各ＢＳｋは｛ＳＳ＿ＣＴ（１）ｊ，ｋ｝を収集し、ＢＳ＿ＣＴ（１）ｋ＝（ｊに関するＳＳ−ＣＴ（１）ｊ，ｋの総和）を計算し、次の情報、すなわち、ＢＩＤ（１）ｋ＝｛ＢＳ＿ＣＴ（１）ｋ，ｘｋ，ＴＳｔａｒｔ  ｋ，ＴＥｎｄ  ｋ｝をＢＳＮに送信する。この第１の反復では、ＣＣ＿ＣＴ（１）ｉ，ｊ，ｋ、ＳＳ＿ＣＴ（１）ｊ，ｋ、およびＢＳ＿ＣＴ（１）ｋは、定量化した絶対（集計）値単位で表される。したがって、基地局は、個々の加入者局と被接続機器との個々の提案値に基づき提案値を生成する。
【００９１】
この第１反復では、この情報の送信を可能にするＭＡＣフレーム機構は、次のように実装され得る（図１４参照）：
・スーパーＭＡＣ  ＤＬ管理フィールドのマルチキャストサブフレームにおいて、ＵＣＤ、ＵＬ−ＭＡＰは｛ｉｄ（１）ｋ｝から各ＢＳｋへの情報を提供し、このとき、各ＢＳｋは自身のＢＩＤ（１）ｋをスーパーＭＡＣ  ＵＬ管理フィールドのデータ伝送フィールドにより送信することが可能である、
・スーパーＭＡＣ  ＵＬ管理フィールドのデータ伝送フィールドは、図１５に示すように構成され得る。
【００９２】
○シーケンス（１３）において、ＢＳＮは、以下の動作を実行する：
・異なる提案者｛ｉｄ（１）ｋ｝から受信された間隔の集合｛［ＴＳｔａｒｔ  ｋ，ＴＥｎｄ  ｋ］｝が与えられると、ＢＳＮは、｛［ＴＳｔａｒｔ，ＴＥｎｄ］｝を連続的な複数の時間区間｛ＴＳｍ｝に分割する、
・所定のＴＳｍに割り当てられた異なる提案者｛ｉｄ（１）ｋ｝は、｛ｉｄ（１）ｋ，ｍ｝によって識別される。｛ｉｄ（１）ｋ，ｍ｝は、各ＴＳｍについて競争を行う。各関係する提案者ｉｄ（１）ｋ，ｍは、自身のそれぞれの提案ＢＩＤ（１）ｋと競争を行う、
・そして、各ＴＳｍに対して、マスタＢＳＮは、各提案者ｋへの支払Ｐ（１）ｋ＝ＢＳ＿ＣＴ（１）ｋ×ｘｋ×ＴＲｅｎｔｉｎｇ×ＮＦｒａｍｅ  ｍを計算し、ｘｋの総和＝１であり、かつ、Ｐ（１）ｋの総和が極大であるような、｛ｉｄ（１）ｋ，ｍ｝の部分集合（｛ｉｄ（１）ｋ，ｍ｝ｓｅｌｅｃｔｅｄ）を探索する（例えば、ナップサックアルゴリズムが用いられ得る）、
・各ＴＳｍに対して、ＢＳＮは、全ての｛ｉｄ（１）ｋ，ｍ｝にＰｍｉｎ，（１）ｍおよびＰｍａｘ，（１）ｍを通知する。ここで、第１の反復中、Ｐｍｉｎ，（１）ｍは｛ｉｄ（１）ｋ，ｍ｝ｓｅｌｅｃｔｅｄからの極小の支払であり、Ｐｍａｘ，（１）ｍは｛ｉｄ（１）ｋ，ｍ｝ｓｅｌｅｃｔｅｄからの極大の支払である。この手法では、各ＢＳｋは、自身が選択されたか否かについて直接的に通知され、Ｐｍｉｎ，（１）ｍからどの程度離れているかに関して何らかの情報を有し、依然として、Ｐｍａｘ，（１）ｍに関する何らかの情報を有する。この手法によって、ＴＳｍに対する｛ｉｄ（１）ｋ，ｍ｝の競争のプライバシが維持され得る。
【００９３】
したがって、このメッセージは、基地局によって受信され、提案要求と見なされて、基地局が更なる提案値を生成し、送出することが可能となる。更に、提案要求メッセージには、前回の提案ラウンドで決定された提案値の表示が含まれる。
【００９４】
この情報の送信を可能とするＭＡＣフレーム機構は、図１６に示すように実装され得る。
特に、ＤＣＤ／ＤＬ−ＭＡＰは、各ｉｄ（１）ｋ，ｍがマルチキャストサブフレームを聴取する必要があるとき必要な情報を提供するので、各ｉｄ（１）ｋ，ｍは自身の専用の（すなわち、自身のＴＳｍに関連した）部分だけを聴取する。
【００９５】
段階４：クレジットトークンベースの提案ラウンドの第ｎ回目の反復（図４のステップ４０５に対応）
この段階は、次の６つのシーケンスに分割される：
○Ｐ（１）ｋ＜Ｐｍｉｎ，（１）ｍの場合、これは、ＢＳｋが前回提案を行った資源を与えられるようには選択されていないことを意味する。この場合、シーケンス（１４）において、各ＢＳｋは各ＳＳｊ，ｋに、そのＳＳｊ，ｋの第２の（ｎ＝２）提案ＳＳ＿ＣＴ（２）ｊ，ｋを要求する。より一般的には、ｎ＞１について、Ｐ（ｎ−１）ｋ＜Ｐｍｉｎ，（ｎ−１）ｍの場合、各ＢＳｋは各ＳＳｊ，ｋに、そのＳＳｊ，ｋの第ｎ回目の提案ＳＳ＿ＣＴ（ｎ）ｊ，ｋを要求する、
○シーケンス（１５）において、Ｐ（ｎ−１）ｋ＜Ｐｍｉｎ，（ｎ−１）ｍの場合、各ＳＳｊ，ｋは、ＣＣｉ，ｊ，ｋが提案を維持することを望むとき、ＣＣｉ，ｊ，ｋにそのＣＣｉ，ｊ，ｋの第ｎ回目の提案ＣＣ＿ＣＴ（ｎ）ｉ，ｊ，ｋ≧ＣＣ＿ＣＴ（ｎ−１）ｉ，ｊ，ｋを要求する、
○シーケンス（１６）において、各ＣＣｉ，ｊ，ｋは自身のＳＳｊ，ｋに、提案を継続することを望むか否かを通知し、提案を継続することを望む場合、新たな提案ＣＣ＿ＣＴ（ｎ）ｉ，ｊ，ｋを送信する。関心を有しないＣＣｉ，ｊ，ｋの場合、ＣＣ＿ＣＴ（ｎ）ｉ，ｊ，ｋ＝ＣＣ＿ＣＴ（ｎ−１）ｉ，ｊ，ｋである、
○シーケンス（１７）において、各ＳＳｊ，ｋは｛ＣＣ＿ＣＴ（ｎ）ｉ，ｊ，ｋ｝を収集し、ＳＳ＿ＣＴ（ｎ）ｊ，ｋ＝（ｉに関するＣＣ＿ＣＴ（ｎ）ｉ，ｊ，ｋの総和）を計算し、自身のＢＳｋにＳＳ＿ＣＴ（ｎ）ｊ，ｋを送信する、
○シーケンス（１８）において、各ＢＳｋは｛ＳＳ＿ＣＴ（ｎ）ｊ，ｋ｝を収集し、ＢＳ＿ＣＴ（ｎ）ｋ＝（ｊに関するＳＳ＿ＣＴ（ｎ）ｊ，ｋの総和）を計算する。次に、ＢＳｋは、新たなＰ（ｎ）ｋ＝ＢＳ＿ＣＴ（ｎ）ｋ×ｘｋ×ＴＲｅｎｔｉｎｇ×ＮＦｒａｍｅ  ｍを計算する。ここで、ｘｋ、ＴＲｅｎｔｉｎｇ、およびＮＦｒａｍｅ  ｍは、ＴＳｍに対する全てのｎについて共通である。Ｐ（ｎ）ｋ＞Ｐ（ｎ−１）ｋかつＰ（ｎ）ｋ＞Ｐｍｉｎ，（ｎ−１）ｍの場合、ＢＳｋは、新たな入札値Ｐ（ｎ）ｋで提案プロセスへの参加を継続するという自身の関心を表明する。その場合、ＢＳＮにＢＳ＿ＣＴ（ｎ）ｋの新たな（更新）値を送信する。Ｐ（ｎ）ｋ＝Ｐ（ｎ−１）ｋまたはＰ（ｎ）ｋ＜Ｐｍｉｎ，（ｎ−１）ｍの場合、ＢＳｋは提案プロセスを離れ、追加の資源は与えられない。
【００９６】
この情報ＢＳ＿ＣＴ（ｎ）ｋの送信を可能とするＭＡＣフレーム機構は、次のように実装され得る：
・各ＴＳｍに対して、自身のＢＳ＿ＣＴ（ｎ）ｋを送信する必要性を表明している各ＢＳｋは、スーパーＭＡＣ  ＵＬ管理フィールドのコンテンションサブフレームにおける予約段階に入る。このコンテンションサブフレーム（図１７参照）により、ＢＳｋは、自身のｉｄｋをＢＳＮに伝達することが可能となる。このことは、コンテンションミニスロット（２値指数バックオフのような衝突解決アルゴリズムと共に用いられるスロット・アロハ・プロトコル）を用いることによって達成されるが、次のように適合される。すなわち、スレーブＢＳｋは、自身のｉｄｋ情報をなんとか送信し終えると（すなわち、ＢＳＮからの肯定応答の受信に成功すると）、沈黙したままとなり、他の関心のあるＢＳｋにそれらのｉｄｋを送信させる。
【００９７】
・各ＴＳｍに対して、受信された｛ｉｄｋ｝に基づき、ＢＳＮは、スーパーＭＡＣ  ＵＬ管理フィールドのデータ伝送サブフレームにおいて、各ＢＳｋに専用データスロットを割り当てる。このデータ割当に関する情報は、スーパーＭＡＣ  ＤＬ管理のマルチキャストサブフレームのＵＣＤ／ＵＬ−ＭＡＰフィールドに含まれる。
【００９８】
・各ＴＳｍに対して、その専用データスロットにおいて、各ＢＳｋは、自身のＢＳ＿ＣＴ（ｎ）ｋを（絶対値を提供する代わりに）増分方式で次のように送信し得る。
・Ｐｍｉｎ，（ｎ）ｍおよびＰｍａｘ，（ｎ）ｍの情報に基づき、ＢＳＮは、幾つかの予め定義されたＱ個の離散的なステップ｛Ｓｍ，ｐ｝を提案し、各ＢＳｋがＴＳｍについて反復ｎ−１とｎとの間における自身の相対的な増加を表明することを容易にする。Ｑは整数である。｛Ｓｍ，ｐ｝は、図１８に示すフィールドによって表現／コード化され得る、
・このフィールドは、図１９に示すスーパーＭＡＣ  ＤＬ管理フィールドの“マルチキャストサブフレーム”によりマルチキャストされる、
・各ＢＳｋに対して、反復ｎ−１とｎとの間のこの相対的な増加は、Δ（ｎ）ｋと表され、次のように表現され得る。すなわち、Δ（ｎ）ｋ＝ＢＳ＿ＣＴ（ｎ）ｋ−ＢＳ＿ＣＴ（ｎ−１）ｋ＝ａｋ，１Ｓｍ，１＋ａｋ，２Ｓｍ，２＋．．．＋ａｋ，ＱＳｍ，Ｑ＝全てのｐに関するΣａｋ，ｐＳｍ，ｐ。ｐは１からＱまで変化する。Ａｋ＝［ａｋ，ｐ］とする、
・各ＢＳｋは、ＢＳ＿ＣＴ（ｎ）ｋに至るまで、各ａｋ，ｐを計算する。次に、ＢＳｋは、図２０に示すように、スーパーＭＡＣ  ＵＬ管理フィールドのデータ伝送フィールドにより、ＢＳＮにＡｋを送信する。スーパーＭＡＣ  ＤＬ管理フィールドのマルチキャストサブフレームにおいて、ＵＣＤ／ＵＬ−ＭＡＰは、｛ｉｄ（ｎ）ｋ｝から各ＢＳｋに情報を提供し、このとき、各ＢＳｋは自身のＡｋをスーパーＭＡＣ  ＵＬ管理フィールドのデータ伝送フィールドにより送信することが可能である。
【００９９】
具体的には、このＵＬデータ伝送のために、以下の２つのオプションが用いられ得る：
・データ伝送フィールドはサブフレームに分割される（図２０参照）。各サブフレームは、Ａｋの送信のためにＢＳｋ専用である、
・各ＢＳｋはＢＳＮによってポーリングされ、自身のデータＡｋを送信する。
【０１００】
この増分手法によって、依然として何らかの柔軟性を提供しつつ、帯域幅を減少させることが可能となる。
また、この増分法は、各ＳＳｊ，ｋとその割り当てられたＢＳｋとの間のシーケンス（１７）においても適用され得る。ＩＥＥＥ８０２．１６の特定の事例では、これは、ＵＬサブフレームの既存の“帯域幅要求用コンテンションスロット”フィールドと、ＤＣＤ、ＵＣＤ、ＤＬ−ＭＡＰ、ＵＬ−ＭＡＰのフィールドとを適合させることによって達成され得る。
【０１０１】
○シーケンス（１９）において、ＢＳＮは、｛ｉｄ（ｎ−１）ｋ，ｍ｝を｛ｉｄ（ｎ）ｋ，ｍ｝に更新する。各ＴＳｍについて新たに受信された提案値｛ＢＳ＿ＣＴ（ｎ）ｋ｝に基づき、マスタＢＳＮは、依然として入札に参加する各提案者ｋに対する新たな支払Ｐ（ｎ）ｋ＝ＢＳ＿ＣＴ（ｎ）ｋ×ｘｋ×ＴＲｅｎｔｉｎｇ×ＮＦｒａｍｅ  ｍを計算する。そして、ＢＳＮは、ｘｋの総和＝１、かつ、Ｐ（ｎ）ｋの総和が極大であるような、｛ｉｄ（ｎ）ｋ，ｍ｝の部分集合（｛ｉｄ（ｎ）ｋ，ｍ｝ｓｅｌｅｃｔｅｄ）を探索する（この目的で、ナップサックアルゴリズムを用いることが可能である）。次に、ＢＳＮは、シーケンス（１３）における動作と同じ動作を実行する。すなわち、各ＴＳｍに対して、ＢＳＮは、全ての｛ｉｄ（ｎ）ｋ，ｍ｝にＰｍｉｎ，（ｎ）ｍおよびＰｍａｘ，（ｎ）ｍを通知する。ここで、第ｎ回目の反復中、Ｐｍｉｎ，（ｎ）ｍは｛ｉｄ（ｎ）ｋ，ｍ｝ｓｅｌｅｃｔｅｄからの極小の支払であり、Ｐｍａｘ，（ｎ）ｍは｛ｉｄ（ｎ）ｋ，ｍ｝ｓｅｌｅｃｔｅｄからの極大の支払である。シーケンス（１３）との差は、ここでは、｛Ｐｍｉｎ，（ｎ）ｍ｝および｛Ｐｍａｘ，（ｎ）ｍ｝の送信を可能とするＭＡＣフレーム機構が、シーケンス（１８）において用いられる増分機構により実装されることである。各ＴＳｍに対して、スーパーＭＡＣ  ＤＬ管理フィールドの“マルチキャストサブフレーム”により、相対値（差）ΔＰｍｉｎ，（ｎ）ｍ＝Ｐｍｉｎ，（ｎ）ｍ−Ｐｍｉｎ，（ｎ−１）ｍおよびΔＰｍａｘ，（ｎ）ｍ＝Ｐｍａｘ，（ｎ）ｍ−Ｐｍａｘ，（ｎ−１）ｍのみが送信される。
【０１０２】
段階５：最終価格決定および支払段階（図４のステップ４０７，４０９に対応）
この段階は、シーケンス（２０）および（２１）からなる：
○シーケンス（２０）において、ＴＥｎｄ  Ｂｉｄｄｉｎｇ−ＴＳｔａｒｔ  Ｂｉｄｄｉｎｇ＞０である（すなわち、入札段階の持続時間がまだ経過していない）限り、ｎは増大し、クレジットトークンベースの提案ラウンドが実行される、
○シーケンス（２０）において、ＴＥｎｄ  Ｂｉｄｄｉｎｇ−ＴＳｔａｒｔ  Ｂｉｄｄｉｎｇ＝０であるとき、提案ラウンド段階が終了する。このとき、新たな提案を行うことの可能なＢＳｋは存在しない。｛ｉｄ（ｎ  ｆｉｎａｌ）ｋ，ｍ｝ｓｅｌｅｃｔｅｄが導出される。このとき、ＢＳＮは、｛ｉｄ（ｎ  ｆｉｎａｌ）ｋ，ｍ｝から各ＴＳｍおよび各ｋに対する決済競売価格ＢＳ＿ＣＰＡｋ（単位大きさ当りのクレジットトークン数として表現される）を導出する。各ｋおよびｍについて、ＢＳ＿ＣＰＡｋはＢＳ＿ＣＴ（ｆｉｎａｌ）ｋに相当してもよく、あるいは、例えば、ビックレイ（Ｖｉｃｋｒｅｙ）の第２価格入札法に従ってもよい、
この情報｛ＢＳ＿ＣＰＡｋ｝の｛ｉｄ（ｎ  ｆｉｎａｌ）ｋ，ｍ｝から各ＢＳｋへの送信を可能とするＭＡＣフレーム機構は、スーパーＭＡＣ  ＤＬ管理フィールドのマルチキャストフィールドにより実装される。ＢＳＮは、専用スロットにより、この情報を各ＢＳｋに送信する。
【０１０３】
○シーケンス（２１）において、各ｋは、自身の対応するＴＳｍに関して、Ｐｒｋ＝ＢＳ＿ＣＰＡｋ×ｘｋ×ＴＲｅｎｔｉｎｇ×ＮＦｒａｍｅ  ｍを支払う。
シーケンス（２０）におけるスーパーＭＡＣ  ＤＬ管理フィールドのマルチキャストフィールドにより送信される情報に基づき、具体的には、ＰｒｋのＵＬデータ伝送には、２つのＭＡＣ機構が（シーケンス（１８）と同様に）用いられ得る：
・データ伝送フィールドはサブフレームに分割される（図２０と同様）。各サブフレームは、Ｐｒｋの送信のためにＢＳｋ専用である、
・各ＢＳｋはＢＳＮによってポーリングされ、自身のデータＰｒｋを送信する。
【０１０４】
段階６：クレジットトークンベースの帯域幅付与段階（図４のステップ４０９に対応）
この段階中、各落札ＢＳｋは、自身の資源を自身のＳＳｊ，ｋおよびＣＣｉ，ｊ，ｋに付与する。現在、（例えば、ＩＥＥＥ８０２．１６−２００４における）付与機構はＣＣ当りまたはＳＳ当りのいずれかである。特定の詳細な例では、クレジットトークンパラダイムと組み合わせることによって、これらの機構が拡張される。具体的には、次の２つの付与オプションが用いられ得る：
○ＣＣ当りのクレジットトークンベースの付与（ＣｔＧ＿ＣＣ）
この場合（図２１参照）、帯域幅はＣＣレベルで付与される。したがって、資源割当メッセージは、被接続機器に直接送信され得る。帯域幅は、提案ラウンドに参加しているＣＣｉ，ｊ，ｋに付与される。各ＣＣｉ，ｊ，ｋに付与される資源の量は、ＣＣｉ，ｊ，ｋが提案を行ったＣＣ＿ＣＴｉ，ｊ，ｋの最大値に比例する。この場合、ＢＳｋは、そのＢＳｋに所属する全てのＣＣｉ，ｊ，ｋ間の資源スケジューリングを担う、
○ＳＳ当りのクレジットトークンベースの付与（ＣｔＧ＿ＳＳ）
この場合（図２２参照）、帯域幅はＳＳレベルで付与される。したがって、資源割当メッセージは、加入者局に直接送信され得る。帯域幅は、提案ラウンドに参加している各ＳＳｊ，ｋに付与される。各ＳＳｊ，ｋに付与される資源の量は、ＳＳｊ，ｋが提案を行ったＳＳ＿ＣＴｊ，ｋの最大値に比例する。この場合、ＢＳｋは、そのＢＳｋに所属する全てのＳＳｊ，ｋ間の資源スケジューリングを担う。そして、各ＳＳｊ，ｋは、そのＳＳｊ，ｋに所属する全てのＣＣｉ，ｊ，ｋ間の資源の割当を担う。
【０１０５】
検討される方式（ＣｔＧ＿ＣＣまたはＣｔＧ＿ＳＳ）に応じて、シーケンス（２２−１）または（２２−２）のいずれかが用いられる。両方式において、ＩＥＥＥ８０２．１６の場合、用いられるＭＡＣ機構は、既存のＤＣＤ／ＤＬ−ＭＡＰ、ＵＣＤ／ＵＬ−ＭＡＰフィールドを適合させることによって実装され得る。
【図面の簡単な説明】
【０１０６】
【図１】本発明の幾つかの実施形態に基づく３つの通信ネットワークが含まれる組み合わせ通信システム構成の例を示す図。
【図２】スペクトル共有を用いる複数のネットワーク用の時分割二重フレーム構造の例を示す図。
【図３】本発明の幾つかの実施形態に基づく資源共有のための装置の例を示す図。
【図４】本発明の幾つかの実施形態に基づく資源共有のための方法の例を示す図。
【図５】本発明の幾つかの実施形態に適するＭＡＣフレームフォーマットの例を示す図。
【図６】ネットワークノードの階層構成の例を示す図。
【図７】本発明の幾つかの実施形態に基づく暫定資源割当用の信号送信の例を示す図。
【図８】本発明の幾つかの実施形態に基づく暫定資源割当用の信号送信の例を示す図。
【図９】本発明の幾つかの実施形態に適するＭＡＣフレームフォーマットの例を示す図。
【図１０】本発明の幾つかの実施形態に適するＭＡＣフレームフォーマットの例を示す図。
【図１１】本発明の幾つかの実施形態に適するＭＡＣフレームフォーマットの例を示す図。
【図１２】本発明の幾つかの実施形態に適するＭＡＣフレームフォーマットの例を示す図。
【図１３】本発明の幾つかの実施形態に適するＭＡＣフレームフォーマットの例を示す図。
【図１４】本発明の幾つかの実施形態に適するＭＡＣフレームフォーマットの例を示す図。
【図１５】本発明の幾つかの実施形態に適するＭＡＣフレームフォーマットの例を示す図。
【図１６】本発明の幾つかの実施形態に適するＭＡＣフレームフォーマットの例を示す図。
【図１７】本発明の幾つかの実施形態に適するＭＡＣフレームフォーマットの例を示す図。
【図１８】本発明の幾つかの実施形態に適するＭＡＣフレームフォーマットの例を示す図。
【図１９】本発明の幾つかの実施形態に適するＭＡＣフレームフォーマットの例を示す図。
【図２０】本発明の幾つかの実施形態に適するＭＡＣフレームフォーマットの例を示す図。
【図２１】本発明の幾つかの実施形態に基づく資源割当通信の例を示す図。
【図２２】本発明の幾つかの実施形態に基づく資源割当通信の例を示す図。
【図１】
2009500906.tif 000003
【図２】
2009500906.tif 000004
【図３】
2009500906.tif 000005
【図４】
2009500906.tif 000006
【図５】
2009500906.tif 000007
【図６】
2009500906.tif 000008
【図７】
2009500906.tif 000009
【図８】
2009500906.tif 000010
【図９】
2009500906.tif 000011
【図１０】
2009500906.tif 000012
【図１１】
2009500906.tif 000013
【図１２】
2009500906.tif 000014
【図１３】
2009500906.tif 000015
【図１４】
2009500906.tif 000016
【図１５】
2009500906.tif 000017
【図１６】
2009500906.tif 000018
【図１７】
2009500906.tif 000019
【図１８】
2009500906.tif 000020
【図１９】
2009500906.tif 000021
【図２０】
2009500906.tif 000022
【図２１】
2009500906.tif 000023
【図２２】
2009500906.tif 000024
【国際調査報告】
2009500906.tif 000025